(57)【要約】      （修正有）【課題】電気接続線を挿入していないとき線挿入開口部である連絡部から人の指が入り込んで電気導通板に触れるということがない端子台を提供する。【解決手段】トランスに設けられて使用される端子台について、金属製の電気導通板と、電気導通板を収容する絶縁性のケーシング２とを備え、ケーシング２は、電気導通板へ接続する電気接続線を挿入することができる連絡部２１と、使用前の端子台の連絡部２１を閉鎖して人の電気導通板への接触を阻止する閉鎖部材２１ａとを備えた。【選択図】図３
0003216263.tif 000002
【実用新案登録請求の範囲】
【請求項１】
トランス等の電気機器に設けられて使用される端子台において、
金属製の電気導通板と、前記電気導通板を収容する絶縁性のケーシングとを備え、
前記ケーシングは、前記電気導通板へ接続する電気接続線を挿入することができる連絡部と、使用前の端子台の前記連絡部を閉鎖して人の前記電気導通板への接触を阻止する閉鎖部材とを備えたことを特徴とする端子台。
【請求項２】
前記閉鎖部材は、樹脂製の前記ケーシングと一体に形成された樹脂製の板状体であり、前記閉鎖部材を前記端子台の使用時に前記ケーシングから除去することによって前記連絡部を開放することができ、
前記閉鎖部材と前記連絡部との間には、指先又はニッパ等の工具にて前記閉鎖部材を前記ケーシングから除去することができるように弱められた弱め部が介在する請求項１記載の端子台。
【請求項３】
前記連絡部は、ケーシングへ設けられた開口部又は切欠部であり、前記連絡部の内周と、前記閉鎖部材の外周との間の各位置は、０．１ｍｍ〜３ｍｍの隙間が開けられ、前記閉鎖部材の外周の１箇所又は２箇所以上が、径を０．１ｍｍ〜３ｍｍとする太さの繋ぎ部にて連絡部の前記内周と繋がっており、
閉鎖部材外周を取り囲む前記隙間と前記繋ぎ部とが、前記弱め部を構成するものである請求項２記載の端子台。
【請求項４】
前記電気機器は、トランスであり、
前記トランスは、前記トランスと電源とを電気的に接続する導線又は前記トランスと他の電気機器とを電気的に接続する導線若しくは前記トランス内での電気的な接続を行う導線を、前記電気接続線とするものであり、
前記ケーシングは、正面に前記連絡部を備え且つ上面に工具挿入部を備え、
前記工具挿入部は、前記連絡部よりも小さな孔でありドライバ等の締め付け工具の先端を挿入することができ、
前記ケーシング内には、軸部と前記締め付け工具の先端を嵌合することが可能な頭部とを有するネジと、前記ネジをねじ込む上下へ貫通するネジ穴が設けられた前記電気導通板と、ネジの前記軸部に装着され且つ前記電気導通板と共に電気接続線を挟む押圧部材とが備えられ、
前記閉鎖部材を除去し前記連絡部を通じて前記電気接続線の先端をケーシング内の前記電気導通板と前記押圧部材との間へ挿入し、前記工具挿入部から前記締め付け工具の先端を前記ケーシング内に挿入して前記ネジを前記ネジ穴へねじ込み前記電気導通板と前記押圧部材との間へ電気接続線の前記先端を挟んで固定することにて、前記電気接続線を前記電気導通板へ接続することができる請求項３記載の端子台。
【請求項５】
前記ケーシングは、背面に前記電気導通板へ接続する他の電気接続線を挿入することができる副連絡部と、前記副連絡部を閉鎖して人の前記電気導通板への接触を阻止する副閉鎖部材を備え、
前記副連絡部は、ケーシングへ設けられた開口部又は切欠部であることを特徴とする請求項４記載の端子台。
【請求項６】
前記ケーシングは、前記ケーシングの正面から上面に掛けて設けられて前記ケーシングの内外を連絡する開放部と、前記開放部を開閉するカバー部材と、前記ケージングの背面に設けられて前記ケーシングの内外を連絡する副開放部と、前記副開放部を開閉する副カバー部材とを備え、
前記カバー部材は、前記開放部の正面を覆う部位に前記連絡部を備え且つ前記開放部の上面を覆う部位に前記工具挿入部を備え、
前記副カバー部材が前記副連絡部を備え、
前記カバー部材に前記閉鎖部材が設けられ、前記副カバー部材へ前記副閉鎖部材が設けられ、
前記ネジについて前記頭部が座面を備えるか又は前記軸部への座金の装着にて当該座金を座面とするものであり、
前記ケーシング内には、線材を巻いた状態に構成された引張バネが備えられ、
前記引張バネは、一端をネジの上記座面に引っ掛けられ、前記ケーシング内にて前記電気導通板の上方に前記ネジを吊下げるものであり、
前記工具挿入部から挿入した前記締め付け工具の先端で吊り下げられた前記ネジを押し下げて電気導通板の前記ネジ穴へ前記ネジをねじ込むことができる請求項５記載の端子台。
【請求項７】
請求項１乃至６の何れかに記載の端子台を備えたトランス。
【考案の詳細な説明】
【技術分野】
【０００１】
本考案は、端子台及びこの端子台を備えたトランスの改良に関するものである。
【背景技術】
【０００２】
トランスなどの電気機器へ備えられる端子台は、電源や他の電気機器と当該トランスとを接続する電気接続線の端子を固定するものであり、需要者の便を図るため種々の改良がなされている（特許文献１及び２）。
【０００３】
特許文献１に示すものは、正面に連絡部２１（連絡部）と上面に工具挿入部２２（工具挿入部）とを有するケーシング２と、ケーシング２内に設けられた電気導通板３と、軸部４０とねじ回しを嵌合することが可能な頭部４１とを有するネジ４と、線材を巻いた状態にすることにて形成された引張バネ５とを備え、ネジ４について頭部４１又は座金の装着にて座面を形成するものであり、電気導通板３は、上下に貫通するネジ穴３１を備え、引張バネ５は、ケーシング２内にて電気導通板３の上方にネジ４を吊下げるものであり、線挿入開口部２１より電気導通板３の上に電気接続線の端部を挿入し、工具挿入部２２からねじ回し（ドライバ）の先端をケーシング２内に挿入してネジ４を押し下げて電気導通板３のネジ穴３１へネジ４を螺合することにより、電気接続線を電気導通板３に接続することが可能な端子台であって、引張バネ５は、引張バネ５をケーシング２内へ固定する固定用巻き部と、ネジ４の座面と当接してネジ４を保持する保持用巻き部と、固定用巻き部と保持用巻き部との間に介された伸縮巻き部とを備え、 上記保持用巻き部は、ネジ４の座面の径よりも大きな径と、ネジ４の座面の径よりも小さな径とを備え、保持用巻き部の上記何れの径の部分も、ネジ４の軸部４０を通すことが可能なものである（請求項１及び段落番号０００９）。
【０００４】
特許文献１の上記のケーシング２は、樹脂にて形成された中空の筐体であり、側板部ａと、中央部ｂとを備え（図２（Ａ）及び図３（Ａ）〜（Ｅ））、中央部ｂは、水平部ｂ２と、水平部ｂ２前方より下方に伸びる正面部ｂ１とを備え、正面部ｂ１には、電気接続線を通す、正面部ｂ１の前後に貫通する連絡部２１が設けられ、水平部ｂ２には上下に貫通する操作用開口部２２が設けられ、操作用開口部２２は、ドライバの先端（シャフト）を通すことができる（段落番号００１９）。
【０００５】
また特許文献２にも同様の端子台が示されている。
特許文献１及び２の発明により、端子台において、電気接続線を電気導通板３へ固定するネジ４に関し上記引張バネ５から脱落し難いものとすることができた。
【先行技術文献】
【特許文献】
【０００６】
【特許文献１】特許第４５２７５７７号公報
【特許文献２】特許第４５８４７７４号公報
【考案の概要】
【考案が解決しようとする課題】
【０００７】
一方、撓んだり変形し易い上記の電気接続線を円滑に挿入するために線挿入開口部２１（連絡部）は、変形しないドライバの先端を挿入する操作用開口部２２（工具挿入部）に対し、比較的大きく開口したものである。
このため本考案の考案者は、第１の課題として、電気接続線を挿入していないとき線挿入開口部２１から人の指が入り込んで電気導通板３に触れるということがないよう更に改良を図ろうと考えた。
【０００８】
また、上記ケーシング２の背面側からも別途の電気接続線が電気導通板３と接続するために挿入することがあり、ケーシング２の背面は操作用開口部２２はもとより線挿入開口部２１（連絡部）よりも大きく開放されている（特許文献１及び２の図２、図７、図８）。従って、第２の課題として、ケーシング２の背面側についても人の指が入り込んで電気導通板３に触れるということがないよう更に改良を図ろうと考えた。
本考案は上記第１の課題を解決する改良が図られた端子台及びトランスを提供するものであり、更に上記第２の課題を解決する改良が図られた端子台及びトランスを提供するものである。
【課題を解決するための手段】
【０００９】
本考案はトランス等の電気機器に設けられて使用される端子台について、次の構成を採るものを提供する。
即ち、この端子台は、金属製の電気導通板と、前記電気導通板を収容する絶縁性のケーシングとを備え、前記ケーシングは、前記電気導通板へ接続する電気接続線を挿入することができる連絡部と、使用前の端子台の前記連絡部を閉鎖して人の前記電気導通板への接触を阻止する閉鎖部材とを備える。
尚人の（電気導通板への）接触というのは、指先の接触や髪の毛の接触は勿論のこと、衣服の一部など身に着けたものを通じての接触も含む。
また本考案では、前記閉鎖部材は、樹脂製の前記ケーシングと一体に形成された樹脂製の板状体であり、前記閉鎖部材を前記端子台の使用時に前記ケーシングから除去することによって前記連絡部を開放することができ、前記閉鎖部材と前記連絡部との間には、指先又はニッパ等の工具にて前記閉鎖部材を前記ケーシングから除去することができるように弱められた弱め部が介在する端子台を提供できた。
前記ニッパ等の工具には、ニッパを含む他、ペンチやカッタ、鋏など閉鎖部材をケーシングから円滑に除去できる周知の他の工具を含む。
更に本考案では、前記連絡部は、ケーシングへ設けられた開口部又は切欠部であり、前記連絡部の内周と、前記閉鎖部材の外周との間の各位置は、０．１ｍｍ〜３ｍｍの隙間が開けられ、前記閉鎖部材の外周の１箇所又は２箇所以上が、径を０．１ｍｍ〜３ｍｍとする太さの繋ぎ部にて連絡部の前記内周と繋がっており、閉鎖部材外周を取り囲む前記隙間と前記繋ぎ部とが、前記弱め部を構成する端子台を提供できた。
また更に本考案では、前記電気機器は、トランスであり、前記トランスは、前記トランスと電源とを電気的に接続する導線又は前記トランスと他の電気機器とを電気的に接続する導線若しくは前記トランス内での電気的な接続を行う導線を、前記電気接続線とするものであり、前記ケーシングは、正面に前記連絡部を備え且つ上面に工具挿入部を備え、前記工具挿入部は、前記連絡部よりも小さな孔でありドライバ等の締め付け工具の先端を挿入することができ、前記ケーシング内には、軸部と前記締め付け工具の先端を嵌合することが可能な頭部とを有するネジと、前記ネジをねじ込む上下へ貫通するネジ穴が設けられた前記電気導通板と、ネジの前記軸部に装着され且つ前記電気導通板と共に電気接続線を挟む押圧部材とが備えられ、前記閉鎖部材を除去し前記連絡部を通じて前記電気接続線の先端をケーシング内の前記電気導通板と前記押圧部材との間へ挿入し、前記工具挿入部から前記締め付け工具の先端を前記ケーシング内に挿入して前記ネジを前記ネジ穴へねじ込み前記電気導通板と前記押圧部材との間へ電気接続線の前記先端を挟んで固定することにて、前記電気接続線を前記電気導通板へ接続することができる端子台を提供できた。
更にまた本考案では、前記ケーシングは、背面に前記電気導通板へ接続する他の電気接続線を挿入することができる副連絡部と、前記副連絡部を閉鎖して人の前記電気導通板への接触を阻止する副閉鎖部材を備え、前記副連絡部は、ケーシングへ設けられた開口部又は切欠部である端子台を提供できた。
また本考案では、前記ケーシングは、前記ケーシングの正面から上面に掛けて設けられて前記ケーシングの内外を連絡する開放部と、前記開放部を開閉するカバー部材と、前記ケージングの背面に設けられて前記ケーシングの内外を連絡する副開放部と、前記副開放部を開閉する副カバー部材とを備え、前記カバー部材は、前記開放部の正面を覆う部位に前記連絡部を備え且つ前記開放部の上面を覆う部位に前記工具挿入部を備え、前記副カバー部材が前記副連絡部を備え、前記カバー部材に前記閉鎖部材が設けられ、前記副カバー部材へ前記副閉鎖部材が設けられ、前記ネジについて前記頭部が座面を備えるか又は前記軸部への座金の装着にて当該座金を座面とするものであり、前記ケーシング内には、線材を巻いた状態に構成された引張バネが備えられ、前記引張バネは、一端をネジの上記座面に引っ掛けられ、前記ケーシング内にて前記電気導通板の上方に前記ネジを吊下げるものであり、前記工具挿入部から挿入した前記締め付け工具の先端で吊り下げられた前記ネジを押し下げて電気導通板の前記ネジ穴へ前記ネジをねじ込むことができる端子台を提供できた。
更に本考案は、上記端子台を備えたトランスを提供できた。
【考案の効果】
【００１０】
本考案は、端子台の未使用時即ち電気接続線が当該電気接続線を挿入する連絡部へ挿入されていない状態において、上記閉鎖部材により、連絡部を閉鎖して人の指先などの電気導通板への接触を阻止することができた。
また端子台のケーシングの背面側においても、正面側に設けられた上記連絡部と同様、副カバー部材を設けて副開放部を覆うと共に当該副カバー部材に設けた副連絡部を副閉鎖部材にて閉鎖し、人の指先などの電気導通板への接触を阻止することができた。
特に本考案は、上記効果を奏する、IEC(国際電気標準会議)やJIS(日本工業規格)で定める電気機器内への異物の侵入に対する保護の等級ＩＰ２ｘに対応するものを提供できたのである。
【図面の簡単な説明】
【００１１】
【図１】（Ａ）は本考案に係るトランスの全体正面図、（Ｂ）はこのトランスの全体側面図、（Ｃ）はこのトランスの全体平面図。
【図２】（Ａ）及び（Ｂ）は、図１のトランスに設けられた端子台のケーシングの要部斜視図。
【図３】（Ａ）は上記ケーシングのカバー部材を示す側面図、（Ｂ）は（Ａ）のカバー部材の底面図、（Ｃ）は（Ａ）のカバー部材の平面図、（Ｄ）は（Ａ）のカバー部材の背面図、（Ｅ）は（Ａ）のカバー部材の正面図。
【図４】（Ａ）は図１の端子台の副カバー部材の正面図、（Ｂ）は（Ａ）の副カバー部材の側面図、（Ｃ）は（Ａ）のカバー部材の背面図、（Ｄ）は図３（Ｅ）へ示す閉鎖部材を除去して連絡部を開放した状態を示すカバー部材の正面図、（Ｅ）は（Ｃ）へ示す副閉鎖部材を除去して副連絡部を開放した状態を示す副カバー部材の背面図。
【図５】図１に示す端子台に関し、図４（Ａ）〜（Ｃ）の副カバー部材を閉じ、図３のカバー部材を開いた状態を示す端子台の縦断面図。
【図６】（Ａ）は図１に示す端子台に関して図３のカバー部材を閉じ図４（Ａ）〜（Ｃ）の副カバー部材を開いた状態を示す端子台の縦断面図、（Ｂ）は端子台の変更例を示す正面図。
【図７】（Ａ）は上記の端子台に用いられるネジの（押圧部材を省いた状態を示す）正面図、（Ｂ）は当該ネジに押圧部材が装着された状態を示す正面図。
【図８】（Ａ）は上記端子台に用いられる引張バネの斜視図、（Ｂ）は（Ａ）の平面図、（Ｃ）は（Ａ）の引張バネへネジを装着した状態を示す側面図。
【図９】（Ａ）は図８に示す引張バネを図７（Ｂ）へ示すネジへ装着した状態を示す斜視図、（Ｂ）は（Ａ）に示す引張バネを図２（Ａ）へ示すケーシングの要部へ装着した状態を示す斜視図。
【図１０】図９（Ｂ）へ示す引張バネを装着した状態を示す端子台の縦断面図であり、図５及び図６へ示すカバー部材と副カバー部材とを閉じた未使用の状態を示す。
【図１１】図１０へ示す端子台の使用状態を示す縦断面図。
【考案を実施するための形態】
【００１２】
以下、図面を参照しつつ、本考案の好ましい実施の形態について説明する。
尚、説明の便宜上、各図中、Ｕは上方を、Ｓは下方を、Ｌは左側を、Ｒは右側を、Ｆは前方を、Ｂは後方を、夫々示している。
【００１３】
（基本構成）
このトランスは、トランス本体１００と、トランス本体１００に取り付けられる端子台１とを備える（図１）。
以下、各部の構成について、詳しく説明する。
【００１４】
（トランス本体１００）
トランス本体１００は、中空部分を備えたボビン１０１と、ボビン１０１の外側に巻かれたコイル１０２と、ボビン１０１の中空部分の少なくとも内側へ束ねて配された鉄心１０３と、鉄心固定具１０４と、端子台固定部１０５，１０５とを備える（図１（Ａ）〜（Ｃ））。
鉄心固定具１０４は、束ねられた鉄心１０３（の夫々が同一位置に備える貫通孔）へ通された長ネジと、長ネジと螺合する袋ネジ（一端が開口する軸内部に雌ネジ部が形成されている）とを備える（図１（Ａ））。袋ネジは、長ネジの座面と共にその座面にて鉄心１０３の束を挟む。
この例では、鉄心固定具１０４は、鉄心１０３に対し、上部の２箇所と、下部の２箇所の、合計４箇所（図１（Ａ）に示すように、正面視した状態において、鉄心の四隅）に取り付けられている。但し、鉄心固定具１０４は図示した４箇所に限定するものではなく、鉄心１０３に対し、３箇所又は５箇所以上設けるものとしても実施できる。
【００１５】
端子台固定部１０５は、束ねられた鉄心１０３の表面において、上記の上部の鉄心固定具１０４，１０４間へ水平に渡された、レールである。上記の通り、端子台固定部１０５の両端は、束ねられた鉄心１０３と共に鉄心固定具１０４，１０４にて当該鉄心１０３の表面に固定されている。当該鉄心固定具１０４，１０４間において、端子台固定部１０５は、（その長手方向と交差する方向にて切った）断面の形状をＬ字形とする部分を備える。
上記の複数の端子台１の夫々は、この端子台固定部１０５に通されることによって、トランス本体１００へ固定される。
上記のトランス本体１００として、実開平０５−０６９９２７号や特開２００２−３１３６５５号の公報に示すものを採用することができる。
【００１６】
（端子台１）
端子台１は、図５、図６（Ａ）、図９〜図１１へ示す通り、ケーシング２と、電気導通板３と、ネジ４と、引張バネ５とを備える。ここでは、図１（Ｃ）において、トランス本体１００の前方Ｆ側に配置された端子台１を例に採って説明する。
ケーシング２は、樹脂にて形成された中空の筐体である。この例では、ケーシング２は、正面（前面）と上面と、背面（後面）の一部を開放する。
詳しくは、ケーシング２の前面から上面にかけてケーシング２の内外を連絡する開放部２３が設けられており（図５）。ケーシング２の背面にもケーシング２の内外を連絡する副開放部２４が設けられている（図６（Ａ））。
【００１７】
また、この実施の形態において、端子台１のケーシング２の夫々は、左右の一方（図１（Ａ）へ示したものは左側）のみに、側板部ａを備える。当該端子台１の隣に配置された端子台１の側板部ａが、ケーシング２の側板部ａを備えない側部を覆う。
即ち、図１へ示す個々の端子台１は、自身の有する側板部ａと隣り合う端子台１の備える側板部ａとの間の空間にて電気導通板３を収容し、当該両側板ａ間において上記開放部２３と副開放部２４とを備えるのである。
尚、図１（Ａ）へ示すのと逆にケーシング２は右側にのみ側板部ａを備えるものとしてもよい。
【００１８】
ケーシング２は、上記の側板部ａ（図２（Ａ））と、上記開放部２３を開閉自在に覆うカバー部材ｂと、上記副開放部２４を開閉自在に覆う副カバー部材ｃとを備える（図３〜図６、図１０及び図１１）。
カバー部材ｂは、水平部ｂ２と、水平部ｂ２前方より下方に伸びる正面部ｂ１とを備える（図３（Ａ）〜（Ｅ））。
【００１９】
カバー部材ｂの正面部ｂ１には、正面部ｂ１の前後に貫通し電気接続線ｍ（図１１）を電気導通板３へ向けてケーシング２内へ挿入することが可能な線挿入用開口部が、連絡部２１として設けられている。
カバー部材ｂにて開放部２３を覆った状態において、連絡部２１は、ケーシング２の内外を連絡する。
ユーザーが端子台１の未使用の状態において、連絡部２１は、閉鎖部材２１ａにて閉鎖されている。閉鎖部材２１ａは、樹脂製のカバー部材ｂと一体に形成された板状体である（図３（Ｄ）（Ｅ））。閉鎖部材２１ａと連絡部２１内周の間には弱め部２１ｂが介在する。
閉鎖部材２１ａの外縁（外周）の各部は、開口部である連絡部２１の内縁（内周）との間に隙間２１ｃを有すると共に、１箇所又は複数個所に設けられた繋ぎ部２１ｄにて繋がっている。
即ち、上記の弱め部２１ｂは、閉鎖部材２１ａの外周を取り囲む、上記隙間２１ｃと繋ぎ部２１ｄとにて構成されている。
【００２０】
一般的なトランスにおいて、端子台１の高さｘ１を２〜１０ｃｍ（図６（Ａ））とし、左右横幅ｘ２を０．５ｃｍ〜５ｃｍ（図１（Ｃ））とし、前後幅ｘ３を２〜１０（図６（Ａ））とするのが好ましい。但し、このような寸法範囲は単なる例示であり、上記範囲外に変更可能である。
例示したものは、上記高さｘ１を４１．５ｃｍとし、上記左右横幅ｘ２を１．８ｃｍとし、上記前後幅ｘ３を３．７ｃｍとする。
カバー部材ｂの高さｗ１は端子台１の高さｘ１に合わせて２〜１０ｃｍとし、カバー部材ｂの左右横幅ｗ２も０．５ｃｍ〜５ｃｍとするのが好ましい（図３（Ｅ））。
但し、上記範囲外であっても、連絡部２１の縦幅ｗ３及び左右横幅ｗ４は、電気接続線ｍを円滑に通すことかできるものであればよい（図４（Ｄ））。この例では、連絡部２１の縦幅ｗ３は１．７ｃｍ、左右横幅ｗ４は１．２ｃｍである。
【００２１】
上記閉鎖部材２１ａは、連絡部２１の内周との間の上記隙間２１ｃの大きさｗ６を０．１ｍｍ〜３ｍｍ確保できるものとするのが好ましい（図３（Ｄ））。また、上記繋ぎ部２１ｄの太さｗ７は、０．１ｍｍ〜３ｍｍとするのが好ましい（図３（Ｅ））。
但し、指などの身体の一部の進入を阻止でき、ニッパやカッタなどの工具や指先で無理なく切除できるものであれば、弱め部２１ｂの各部の寸法は上記の範囲外であってもよい。
【００２２】
連絡部２１は、電気接続線ｍを通すことが可能な大きさ（断面積）を有する（図４（Ｄ））。
連絡部２１は、この例では、正面視略長円を呈する。正確には連絡部２１である開口部に関し、上下方向について中央部分が、通常の長円よりも左右に小さく膨らんでいる。但し、閉鎖部材２１ａの除去された状態において、電気接続線ｍを円滑に通すことができるものであれば、連絡部２１は図示した形状や大きさ以外の形状や大きさを備えたものとしてもよい。例えば連絡部２１を上記膨らみのない長円としてもよいし、多角形や正円その他の形状を採るものとしてもよい。
【００２３】
また、上記の水平部ｂ２には、上下に貫通する操作用開口部２２が設けられている（図３（Ａ）〜（Ｃ））。操作用開口部２２は、ドライバの先端（シャフト）を通すことが可能な内径（断面積）を有する。以下必要に応じて操作用開口部２２を工具挿入部２２と呼ぶ。
工具挿入部２２の内径ｗ５は、ドライバ等の工具の先端を通すことができる最低限のものとするのが好ましい（図３（Ｂ））。この例では、上記内径ｗ５は０．６５ｃｍである。
また、カバー部材ｂには、先端側の左右に突起ｂ３が設けられている。カバー部材ｂの基端側には、後述する軸ａ７へ嵌められる軸受凹部ｂ４が設けられている。
【００２４】
副カバー部材ｃの基端（上端）にはカバー部材ｂの上記軸受凹部ｂ４と共に後述する軸ａ７へ嵌められる軸受用凹部ｃ１が設けられている（図４（Ａ）（Ｂ））。またこの例では、副カバー部材ｃの先端側には、副開放部２４を覆った状態において副カバー部材ｃの前方へ突出し、第１支持部ａ１又は電気導通板３と当接する当接部ｃ２が設けられている。
但し、副カバー部材ｃが副開放部２４内へ這い込み過ぎないものであれば、当接部ｃ２を設けずに実施してもよい。
また副カバー部材ｃには、副カバー部材ｃにて副開放部２４を覆った状態においてケーシング２の内外を連絡する副連絡部２５が設けられている（図４（Ｅ）及び図１１）。
副開放部２４を副カバー部材ｃで覆った状態において、副連絡部２５を通じてケーシング２の背面側から導線（電気接続線）をケーシング２内へ通すことができる。
この例では、副連絡部２５は副カバー部材ｃの先端側に設けられた切欠部である。但し、副連絡部２５も上記連絡部２１と同様開口部として形成することも可能であるし、連絡部２１も切欠部として形成することができる。
【００２５】
副連絡部２５の未使用の状態において、副連絡部２５は副閉鎖部材２５ａにて閉鎖されている。副閉鎖部材２５ａの周縁もカバー部材ｂの閉鎖部材２１ａと同様、弱め部２５ｂを介して副カバー部材ｃの副連絡部２５の内縁（内周）へ一体に固定されている。
副カバー部材ｃにおける上記弱め線２５ｂも、カバー部材ｂにおける弱め線２１ｂと同様の隙間２５ｃ及び繋ぎ部２５ｄにて構成されている。
副カバー部材ｃにおける弱め線２５ｂでは、副開放部２４を閉じた状態において、副閉鎖部材２５ａの下辺（先端）の左右と上辺の中央の計３箇所に繋ぎ部２５ｄが設けられている。
カバー部材ｂと副カバー部材ｃ夫々の繋ぎ部２１ｄ，２５ｄの太さは、何れも閉鎖部材２１ａ及び副閉鎖部材２５ａの厚みや他の寸法に基づいて決定すればよい。この例では、副閉鎖部材２５ａの繋ぎ部２５ｄの太さや隙間２５ｃの大きさも上記閉鎖部材２１ａの繋ぎ部２１ｄや隙間２１ｃと同様の数値範囲を採る。
但し、閉鎖部材２１ａや副閉鎖部材２５ａは、工具や指先で円滑に除去できるものであれば、上記数値範囲を外れるものであってもよい。
【００２６】
また副連絡部２５の横幅ｗ８及び縦幅ｗ９についても、副閉鎖部材２５ａ除去後、電気接続線を円滑に挿入できるものであれば、前述の範囲を外れるものであってもよい（図４（Ｅ））。この例では、副連絡部２５の横幅ｗ８は、０．９ｃｍとし、副連絡部２５の縦幅ｗ９は１．４５ｃｍとした。
【００２７】
尚、電気接続線ｍについてより太いものを電気導通板３へ接続する場合、上記寸法を採る例（図３、図４（Ｄ）、図６（Ａ）及び図１１）よりも、大きなケーシング２即ち図６（Ｂ）へ示すように、端子台１の高さｘ１や横幅ｘ２も上記寸法を採る例よりも大きなものとすればよい。
図６（Ｂ）へ示す例では、連絡部２１の縦幅ｗ３を３．７５ｃｍとし、連絡部２１の横幅ｗ４を２．１８ｃｍとした。但し図６（Ｂ）へ示す例においても連絡部２１の上記寸法は例示であり、連絡部２１を円滑に電気接続線ｍが挿入できる他の寸法としてもよい。
【００２８】
図２（Ａ）へ示す通り、上記の側板部ａは縦に配される板状体であり、側面には、電気導通板３を支持する第１支持部ａ１と、引張バネ５を支持する前述の第２支持部ａ２と、上記トランス本体１００の端子台固定部１０５を通すことが可能なＬ字貫通孔ａ３が設けられている。
上記の第１支持部ａ１は、側板部ａより側方（側板部ａがカバー部材ｂの左側に位置するものである場合右側、逆の場合左側）へ水平に突出する突出部ａ１０と、突出部ａ１０の上部に設けられた凹部ａ１１とを備える。
上記の第２支持部ａ２は、図２（Ａ）へ示す通り、第１支持部ａ１の上方に設けられ、側板部ａより第１支持部ａ１と同じ側方へ水平に突出する２つの支持突設部ａ２０，ａ２０を備える。この２つの支持突設部ａ２０，ａ２０は、間隔を開けて、前後に対向して配設されたものであり、夫々対向する面に、溝ａ２１，ａ２１を備える。溝ａ２１，ａ２１は、左右に真っ直ぐ伸びる。
【００２９】
上述の通り、この例において端子台１の夫々は、左右の一方（図１（Ａ）へ示したものは左側）のみに、側板部ａを備えるものであるが、図１へ示す通り、端子台１の夫々を端子台固定部１０５へ当該端子台固定部１０５の長手方向に沿って配列することにより、夫々隣の端子台１の側板部ａにて区画されるので、隣接する端子台１，１間の絶縁については問題ない。このため、図２（Ｂ）へ示す通り、側板部ａの第１及び第２支持部ａ１，ａ２が設けられたのと反対側の側面には、隣接する端子台１の側板部ａの第１及び第２支持部ａ１，ａ２の先端を受容する第１及び第２受容部ａ４，ａ５が設けられている。
【００３０】
この実施の形態と異なり、個々の端子台１は、カバー部材ｂの左右両側に側板部ａ，ａを備えるものとしても実施可能である。一方、図１へ示す実施の形態において、配列された複数の端子台１の列の一方の端に位置する端子台１については、側板部ａが片方だけ（例えば左側だけ）では、内部が露出することになるので、当該端子台１ｂについて、図１（Ｃ）及び図２（Ｂ）へ示す通り、別途の側板部ｄ（上記の左側の側板部ａに対して右側用）を用意する。尚、側板部ａ，ｄは、図示したものと左右反対であっても実施可能である。
【００３１】
また、上記両側板部ａ，ａ間又は側板部ａ，ｄ間には、軸ａ７が渡される。軸ａ７は、側板部ａの内側面へ設けられた棒状の突起であり、側板部ａの当該突起が設けられた面と反対側の面には、当該突起を受ける第４受容部ａ８が設けられている。図２（Ａ）（Ｂ）へ示す例では、ケーシング２群の端部位置する上記側板部ｄにも受容部ａ８が設けられている。軸ａ７は、第２支持部ａ２の後方へ設けられており、第２支持部ａ２の上面とほぼ同じ高さに位置する。前述の通り、軸ａ７には、カバー部材ｂの軸受凹部ｂ４が嵌められる（図５、図６、図１０及び図１１）。カバー部材ｂは、軸ａ７を中心に回動して開放部２３を開閉する。
軸ａ７には、副カバー部材ｃの備える上記軸受用凹部ｃ１も嵌められる。この例では、副カバー部材ｃの軸受用凹部ｃ１の両端にカバー部材ｂの上記軸受凹部ｂ４が配置される。逆に、カバー部材ｂの軸受凹部ｂ４を軸ａ７の長手中央の一箇所に対応するものとしてカバー部材ｂの軸受凹部ｂ４の両端に副カバー部材ｃの上記軸受用凹部ｃ１を配置するものとしてもよい。
【００３２】
トランスの製造時において、（トランスを使用するユーザーが端子台１へ接続する電気接続線ｍと別途の）トランス本体１００と電気導通板３とを接続する導線を製造者がハンダ付けする際ケーシング２内へ半田鏝を挿入する必要がある。このため、開放部２３や副開放部２４を設け、出荷時には上記カバー部材ｂや副カバー部材ｃにて開放部２３及び副開放部２４を覆うのである。
また、側板部ａ，ｄには、カバー部材ｂが備える上記突起ｂ３…ｂ３を受容する受容部が第３受容部ａ６…ａ６として設けられている。
カバー部材ｂの上記突起ｂ３…ｂ３を側板部ａの第３受容部ａ６…ａ６へ挿入することによって、カバー部材ｂの自由端（先端）側が意図せず回転して開放部２３を開放しないように側板部ａへカバー部材ｂの先端側を係止することができる。
【００３３】
上記の電気導通板３は、上下に貫通するネジ穴３１を備える金属板である。
図９（Ｂ）及び図１０へ示す通り、端子台１の上記第１支持部ａ１に、この電気導通板３が取り付けられる。具体的には、電気導通板３は、第１支持部ａ１の突出部ａ１０の上に乗せられ、その左右端が上記凹部ａ１１及び第１受容部ａ４へ挿入されることによって、第１支持部ａ１へ取り付けられる。
また、上記のネジ４を保持する引張バネ５（図８）が、上記第２支持部ａ２に取り付けられる（図９（Ａ））。
図１０へ示す通り、第２支持部ａ２（支持突設部ａ２０，ａ２０の間）は、上記の工具挿入部２２の真下に位置する。また、第１支持部ａ１は、第２支持部ａ２の下方にあり、電気導通板３の上記ネジ穴３１を工具挿入部２２の真下に（工具挿入部２２と同心に）配置させる。
【００３４】
以下、このネジ４と、このネジ４を吊下げる引張バネ５とについて、詳述する。
図７（Ａ）へ示す通り、ネジ４は、雄ねじを備える軸部４０と、座面４２を有し且つ上端にねじ回しを嵌合することが可能な嵌合部を有する頭部４１とを備える。頭部４１は、平面視円形の輪郭を有する。即ち、その座面４２（平面視した頭部４１）の輪郭は円形である。図７（Ａ）へ示す通り、軸部４０の上端に上記の頭部４１が設けられており、軸部４０には、頭部４１の上記座面４２と別に副座面４３が形成されている。
【００３５】
更にネジ４の上記軸部４０には、ネジ４と別体に形成された押圧部材６が設けられる。図７（Ｂ）へ示す通り、この押圧部材６は、上下に貫通しネジ４の軸部４０を通すことが可能な孔６０を備えた、座金である。この押圧部材６の孔６０の内径よりも上記副座面４３の外径のほうが大きい。上記の副座面４３は、下方から力を受けて押し上げられた上記押圧部材６が、ネジの頭部４２（の座面４２）に近づきすぎないように設けられた当接部である。また、押圧部材６の下方への移動について、押圧部材６は、軸部４０のネジ山に係合するが、周知の方法により軸部４０に対して周回させてもネジのピッチに従って下方に自由に移動せず空回りするように形成しておく。これにて、押圧部材６は、軸部４０の下方へ脱落しない。
【００３６】
上記の引張バネ５は、１本の金属の線材にて形成された引張りコイルバネである。図８（Ａ）へ示す通り、上方から順に、引張バネ５をケーシング２内へ固定する固定用巻き部５１と、伸縮巻き部５２と、ネジ４の座面４２と当接してネジ４を保持する保持用巻き部５３とを備える。
固定用巻き部５１は、図８（Ｂ）へ示す通り、引張バネ５において、平面視矩形に巻かれた区間であり、４つの直線部分５１ａ（辺）を備える。この実施の形態において、固定用巻き部５１は、引張バネ５を形成する線材を、２巻き（２回）矩形に巻くことによって、形成されている。
固定用巻き部５１が呈する上記の矩形において、１組の向い合う辺（直線部分５１ａ，５１ａ）間の幅（固定用巻き部５１の前後の幅）が、上記第２支持部ａ２の支持突設部ａ２０、ａ２０に設けられた溝ａ２１，ａ２１（の底）間の幅に対応する。
【００３７】
上記伸縮巻き部５２は、引張バネ５において、平面視円形に巻かれた区間である。この実施の形態において、伸縮巻き部５２は、上記線材を５巻き（５回）巻くことによって、形成されている。
上記の保持用巻き部５３は、図８（Ｂ）へ示す通り、引張バネ５において、平面視円形に巻かれた区間である。この実施の形態において、保持用巻き部５３は、引張バネ５を形成する線材を、２巻き（２回）円形に巻くことによって、形成されている。保持用巻き部５３は、ネジ４の座面４２（頭部４１）の径よりも小さな径を備える。
【００３８】
製造時において、図９（Ａ）及び図１０へ示す通り、上記の図７へ示すネジ４の座面４２の下に、上記図８へ示す引張バネ５の保持用巻き部５３が位置するよう、引張バネ５へネジ４を装着する。この装着に際して、ネジ４の頭部４１側より、引張バネ５の下部の上記保持用巻き部５３を、頭部４１へ押し付けることにより、保持用巻き部５３を押し広げて、ネジ４の頭部４２を乗り越えさせ、保持用巻き部５３全体をネジ４の座面４２側へ移行させる。このように頭部４１を乗り越えた後バネ４の弾性によって、保持用巻き部５３は、元の状態に戻る。
【００３９】
そして、図９（Ｂ）及び図１０へ示すように、引張バネ５の固定用巻き部５１の直線部分５１ａの一つを前記の一方の支持突設部ａ２０の溝ａ２１へ、当該直線部分５１ａと向かい合う他の直線部分５１ａを他方の支持突設部ａ２０の溝ａ２１へ挿入する。これによって、固定用巻き部５１を第２支持部ａ２へ固定することができ、ケーシング２内にて、電気導通板３のネジ穴３１の上方に、ネジ４を吊下げることができる。
図１１へ示す通り、連絡部２１から閉鎖部材２１ａを除去し、連絡部２１より電気導通板３の上に電気接続線ｍの端部を挿入し、工具挿入部２２からねじ回し（図示せず。）の先端をケーシング２内に挿入してネジ４を押し下げて電気導通板３のネジ穴３１へネジ４を螺合することにより、電気接続線ｍを電気導通板３と押圧部材６とにて挟み、電気接続線ｍを電気導通板３に接続することができる。
図１１へ示す例では、副閉鎖部材２５ａも副連絡部２５から除去され、副連絡部２５を通じ別の電気接続線ｍも電気導通板３と押圧部材６との間へ挿入され固定されている。
【００４０】
上記の実施の形態において、保持用巻き部５３は、図示した円形に巻かれたものの他長方形状に巻かれたものとしてもよく、また長方形に限定するものではなく、例えば正方形状に巻かれたものとしてもよい。正方形とした場合、当該正方形の向かい合う頂点間（対角線）の幅が、ネジ４の頭部４１の座面４２の直径より大きく、向かい合う辺間の幅（辺の長さ）が、ネジ４の頭部４１の座面４２の直径よりも小さいものとすればよい。
この他、このような四角形に限定するものではなく、他の多角形状に巻かれたものとしても実施可能である。矩形に巻かれた固定用巻き部５１についても、同様の変更を行うことができる。
また、固定用巻き部５１と保持用巻き部５３の巻きの形状については、円形や多角形にする他、例えば長円（円弧部分と直線部分とを備えた円）や楕円、その他の直線部分と曲線部分とが複合されたものであっても実施可能である。
【００４１】
（変更例）
図示した実施の形態において、連絡部２１を塞ぐ閉鎖部材２１ａの繋ぎ部２１ｄについて閉鎖部材２１ａの上下２箇所に備えたものを示したが、当該上下２箇所に代えて閉鎖部材２１ａの左右２箇所に設けるものとしてもよい。また、閉鎖部材２１ａの周縁の閉鎖部材２１ａの上下左右以外の箇所に繋ぎ部２１ｄを形成するものとしてもよい。また、繋ぎ部２１ｄは、上記２箇所に限らず、閉鎖部材２１ａ外周（周縁）の１箇所としても３箇所以上に設けるものとしても実施できる。
また、副閉鎖部材２５の繋ぎ部２５ｄについても、副閉鎖部材２５の左右と上部（基端側）の３箇所に備えるものを示したが、副閉鎖部材２５外周の他の位置に繋ぎ部２５ｄを設けるものとしてもよい。副閉鎖部材２５の繋ぎ部２５ｄの数についても、副閉鎖部材２５外周の１箇所又は２箇所、或いは４箇所以上に設けるものとしてもよい。
更に、弱め部２１ｂ，２５ｂは、隙間２１ｃ，２５ｃと上記繋ぎ部２１ｄ，２５ｄ以外の構成を採るものとしても実施できる。
例えば、閉鎖部材２１ａ外周と連絡部２１内周との間に隙間２１ｃを設けず、閉鎖部材２１ａ外周の全域をカバー部材ｂの連絡部２１内周とを繋ぎ部２１ｄにて繋がったものとし、繋ぎ部２１ｄの前後の厚みを閉鎖部材２１ａの厚みやカバー部材ｂの厚みよりも小さいものとすることにて形成するものとしてもよい。
【００４２】
また、引張バネ４の各巻き部５１，５２，５３も、図示した実施の形態の巻き数に限定するものではなく、種々変更可能である。また、引張バネ４は、コイルバネに限定するものではなく、竹の子バネ（実開昭６３−４３３６２号）であっても実施可能である。
ネジ４の座面４２は、ネジ４の頭部４１が備えるものとしたが、別途の座金をネジ４に装着することにより、当該座金が座面４２を提供するものとしても実施可能である。
更に、上記の実施の形態において、端子台１が備えるケーシング２は、側面部ａとカバー部材ｂとが別々に形成されて組み合わされるものであった。この他、側面部と中央部とは一体に形成されたものを採用して実施することも可能である。
また、上記の実施の形態において、端子台は、トランスに利用されるものを示した。但し、トランスへの利用に限定するものではなく、その他の電気機器や電気部品、電気接続線同士を電気的に接続する電気接続具に利用することも可能である。
【符号の説明】
【００４３】
１      端子台
２      ケーシング
３      電気導通板
４      ネジ
５      引張バネ
６      押圧部材
２１      連絡部（線挿入用開口部）
２１ａ    閉鎖部材
２１ｂ  （閉鎖部材２１ａの）弱め部
２１ｃ  （弱め部２１ｂの）隙間
２１ｄ  （弱め部２１ｂの）繋ぎ部
２２      工具挿入部（操作用開口部）
２３      開放部
２４      副開放部
２５      副連絡部
２５ａ    副閉鎖部材
２５ｂ  （副閉鎖部材２５ａの）弱め部
２５ｃ  （弱め部２５ｂの）隙間
２５ｄ  （弱め部２５ｂの）繋ぎ部  
３１    （電気導通板３の）ネジ穴
４０    （ネジ４の）軸部
４１    （ネジ４の）頭部
４２    （ネジ４の）座面
４３    （ネジ４の）副座面
５１    （引張バネ５の）固定用巻き部
５１ａ  （引張バネ５の）直線部分
５２    （引張バネ５の）伸縮巻き部
５３    （引張バネ５の）保持用巻き部
５３ａ  （保持用巻き部５３の）長辺
５３ｂ  （保持用巻き部５３の）短辺
６０    （押圧部材６の）孔
１００      トランス本体
１０１      ボビン
１０２      コイル
１０３      鉄心
１０４      鉄心固定具
１０５      端子台固定具
ａ    （ケーシング２の）側板部
ａ１  （ケーシング２の）第１支持部
ａ２  （ケーシング２の）第２支持部
ａ３  （ケーシング２の）Ｌ字貫通部
ａ４  （側板部ａの）第１受容部
ａ５  （側板部ａの）第２受容部
ａ６  （側板部ａの）第３受容部
ａ７  （ケーシング２の）軸
ａ８  （側板部ａの）第４受容部
ａ１０（第１支持部ａ１の）突出部
ａ１１（第１支持部ａ１の）凹部
ａ２０（第２支持部ａ１の）支持突設部
ａ２１（第２支持部ａ１の）溝
ｂ    （ケーシング２の）カバー部材
ｂ１  （カバー部材ｂの）正面部
ｂ２  （カバー部材ｂの）水平部
ｂ３  （カバー部材ｂの）突起
ｂ４  （カバー部材ｂの）軸受凹部
ｃ      副カバー部材
ｃ１  （副カバー部材ｃの）軸受用凹部
ｃ２  （副カバー部材ｃの）当接部    
ｄ    （ケーシング２の）側板部
ｍ      電気接続線
【図１】
0003216263.tif 000003
【図２】
0003216263.tif 000004
【図３】
0003216263.tif 000005
【図４】
0003216263.tif 000006
【図５】
0003216263.tif 000007
【図６】
0003216263.tif 000008
【図７】
0003216263.tif 000009
【図８】
0003216263.tif 000010
【図９】
0003216263.tif 000011
【図１０】
0003216263.tif 000012
【図１１】
0003216263.tif 000013